(57)【要約】透析機械の血液循環回路（４）用取付具。取付具は、この取付具を血液循環回路（４）の第１および第２部分（２、３）にそれぞれ連結するための第１口および第２口（８、９）を有し、該取付具（１）は、血液による電磁波吸収を判断するチューブ（６）により、また血圧に応じて移動可能な壁（１５）を備えたチャンバ（７）によって血液循環回路（４）の第３部分を画定する。
2004519282.tif 000002
【特許請求の範囲】
【請求項１】
透析機械の血液循環回路（４）用取付具であって、この取付具（１）は、該取付具（１）を血液循環回路（４）の第１および第２部分（２、３）にそれぞれ連結するための第１口および第２口（８、９）を有し、該取付具（１）は、血液循環回路（４）の第３部分（１０）を画定し、該取付具（１）は、血液による電磁波吸収を判断するためのチューブ（６）と、血圧に応じて移動可能な壁（１５）を備えたチャンバ（７）とを有することを特徴とする取付具。
【請求項２】
前記血圧に応じて移動可能な壁（１５）を除いて、剛性材料で作られることを特徴とする請求項１に記載の取付具。
【請求項３】
透明材料で作られることを特徴とする請求項１または請求項２に記載の取付具。
【請求項４】
前記チューブ（６）が軸（Ａ）に沿って伸びていることを特徴とする請求項１から請求項３までのいずれか一項に記載の取付具。
【請求項５】
前記チャンバ（７）が実質的に円筒状であり、かつ前記チューブ（６）の軸（Ａ）に直交する軸（Ｂ）を備えることを特徴とする請求項４に記載の取付具。
【請求項６】
前記チューブ（６）が第１径（Ｄ１）であり、前記チャンバ（７）が第１径（Ｄ１）より実質的に大きい第２径（Ｄ２）であることを特徴とする前記請求項のいずれか一項に記載の取付具。
【請求項７】
前記チャンバ（７）が前記チューブ（６）と一体に形成されたカップ（１１）を有することを特徴とする前記請求項のいずれか一項に記載の取付具。
【請求項８】
前記血圧に応じて移動可能な壁（１５）が弾性膜（１５）であり、前記チャンバ（７）が、この弾性膜（１５）をカップ（１１）とカバー（１３）の間で把持するためのカバー（１３）を有することを特徴とする請求項７に記載の取付具。
【請求項９】
前記カバー（１３）が、膜（１５）に接触するための孔（１４）を備えることを特徴とする請求項８に記載の取付具。
【請求項１０】
把持部材（２１）を有することを特徴とする請求項１から請求項９までのいずれか一項に記載の取付具。
【請求項１１】
前記把持部材（２１）が前記カバー（１３）に関して前記チューブ（６）の軸（Ａ）の反対側に位置することを特徴とする請求項１０に記載の取付具。
【請求項１２】
請求項１から請求項１１のいずれか一項に記載の取付具（１）を有する血液循環回路（４）と協働するようになった測定装置であって、前記取付具（１）を収納するためのシート（１６）を有することを特徴とする測定装置。
【請求項１３】
前記シート（１６）が前記取付具（１）と同じ形状であり、それによりこの取付具（１）を該シート（１６）に収容した時に測定装置（５）に対する該取付具（１）の明確な位置が画定されることを特徴とする請求項１２に記載の測定装置。
【請求項１４】
圧力センサの第１インタフェース（１９）、および電磁波吸収を検出するセンサの第２インタフェース（２０）を有し、これら第１および第２インタフェース（１９、２０）が前記シート（１６）に収容されることを特徴とする請求項１３に記載の測定装置。
【請求項１５】
前記第１インタフェース（１９）が前記チャンバ（７）と協働し、前記第２インタフェース（２０）が前記チューブ（６）と協働することを特徴とする請求項１４に記載の測定装置。
【請求項１６】
前記第１インタフェース（１９）がカバー（１３）の孔（１４）に係合し、前記第２インタフェース（２０）が前記チューブ（６）を囲むことを特徴とする請求項１５に記載の測定装置。
【発明の詳細な説明】
【０００１】
（技術分野）
本発明は、透析機械の回路取付具に関する。
【０００２】
（背景技術）
既知の透析機械は、通常、使用時に患者の循環器系に連結する血液循環回路、治療液循環回路、およびフィルタを有し、このフィルタを通して血液循環回路が血液を供給し、治療液循環回路が治療液を供給する。フィルタは、使用中に、治療液を血液から分離する半透膜を備え、それによってイオンが治療液と血液の間で交換され、血液中の血漿分が膜を通して移動する。血液循環回路は、フィルタから上流の動脈支流、およびフィルタから下流の静脈支流を含み、透析機械は、動脈支流に沿って位置して患者の血液をフィルタに送る蠕動ポンプを備える。血液循環回路そして第２に治療液循環回路は、ＰＶＣ等の、回路の無菌性が保証される、透明な可撓性材料で作られる。回路が可撓性であることによって、梱包を簡単にし、回路の一部を狭窄するのみで血流を遮断することができ、同時に透明であることによって、回路内の液の流れを目視モニタ（監視）することが可能となる。
【０００３】
透析治療中、第１回路沿いの血液の一定の物理的特性が非観血的に判断されて治療をモニタし、また透析パラメータが調節されることもある。これは、通常、圧力センサおよび血液による電磁波吸収を検出するセンサによって行われる。そのようなセンサは、透析機械に設けられ、第１回路沿いの特定点に連結され、その回路は一回の透析治療に限り使用され、次いで管理廃棄物として処分される。
【０００４】
（発明の開示）
本発明の目的は、透析中、血液の物理的特性を故障無く、非観血モニタすることを可能にする回路取付具を提供することにある。
【０００５】
本発明によれば、透析機械の血液循環回路用取付具であって、この取付具は、該取付具を血液循環回路の第１および第２部分にそれぞれ連結するための第１および第２口を有し、該取付具は、血液循環回路の第３部分を画定し、かつ該取付具は血液による電磁波吸収を判断するためのチューブと、血圧に応じて移動可能な壁を備えたチャンバ（小室）とを有する取付具が提供される。
【０００６】
本発明はまた、測定装置にも関する。
【０００７】
本発明によれば、請求項１から請求項１１までのいずれか一項に記載の取付具を有する血液循環回路と協働する測定装置であって、該取付具を収納するためのシート（座部）を有することを特徴とする測定装置が提供される。
【０００８】
例として、本発明の非限定的な実施形態を、添付図面を参照して説明する。
【０００９】
（発明を実施するための最良の形態）
図１および図２の符号１は、透析機械（図示せず）の血液循環回路４の２つの部分２と３の間に位置する取付具を示す。取付具１は、図３に示す測定装置５に連結するためのもので、軸Ａに沿って延在するチューブ６、チューブ６に隣接しかつ一体であり、軸Ａの実質的に片側に位置し、軸Ａに垂直な軸Ｂに対して実質的に円筒状のチャンバ７を有する。取付具１は、部分２に連結する口８と、部分３に連結する口９を有する。
【００１０】
言い換えれば、取付具１は、部分２と３の間に伸びた回路４の一部１０を画定し、これらの部分は、透明な、可撓性材料、通常はＰＶＣで作られる。チューブ６およびチャンバ７は、直接連通して、使用中に取付具１に沿った血流を可能とする。
【００１１】
図２に関し、チューブ６は径Ｄ１を有し、対してチャンバ７は、上部から見て径Ｄ１より大きい径Ｄ２を備えた円形であり、一方の側でチューブ６と連通し、他方側で口９と連通するカップ（杯状部）１１を有する。カップ１１は溝形の底部１２を有し、この底部は、軸Ａに沿って延在し、チューブ６および口９に連結する。チャンバ７はまた、中央孔１４付きのカバー１３と、カップ１１とカバー１３の間に挟扼されてカップ１１を閉じる弾性膜１５とを有する。カップ１１、チューブ６、口８および９は、剛性、透明の材料により一体形成され、膜１５およびカバー１３に連結される。
【００１２】
カバー１３は、チューブ６およびカップ１１と同じ材料で作られるが、膜１５は血圧の変化に応じて曲るように弾性材料で作られる。
【００１３】
チューブ６は、チューブ６の径Ｄ１および厚さ等によって大きく影響される電磁波の吸収度を測定するために使用され、極力公称寸法に合致するように製作される。
【００１４】
図３に関し、測定装置５は透析機械（図示せず）と一体であり、装置５の本体１８に形成された凹所１７によって画定されるシート（座部）１６を備える。凹所１７は、上から見て、取付具１の外形とほぼ同じ輪郭であり、カバー１３がシート１６に面した状態で取付具１をシート１６に収容するのに十分な深さである。装置５は２つのセンサを有し、これらセンサは、シート１６に収容され取付具１と協働するインタフェース（界面）１９および２０をそれぞれ有する。さらに具体的には、インタフェース１９は、圧力センサ（図示せず）の一部を形成し、膜１５と協働して膜１５の変形を判断し、取付具１を流れる血液の圧力に関する信号を圧力センサが生成し得るようにする。
【００１５】
インタフェース２０は、血液による電磁波吸収をチューブ６に沿って判断するセンサの一部を形成し、電磁波エミッタおよび検出器を有する。
【００１６】
シート１６は、チューブ６を収容し回路４を一部分収容する溝と、チャンバ７の形状を凹形に再現する開口とによって画定される。シート１６は、取付具１と測定装置５の誤接続防止を可能とし、それによってインタフェース１９が内孔１４に正確にかつインタフェース２０がチューブ６周囲に正確に嵌合するように成形される。
【００１７】
実際の使用においては、回路４を既知の方法により透析機械に連結する際に、取付具１がシート１６内側に挿入され、測定装置５に固定される。透析治療中、血液が取付具１を流通し、膜１５を変形させ、その変形が内孔１４に挿入したインタフェース１９によって検出される。同時に、取付具１を流通する血液による電磁波吸収が、インタフェース２０によって検出される。
【００１８】
図４の変形例では、取付具１が把持部材２１を有し、この把持部材はチャンバ７の溝１２においてチューブ６に連結され、カバー１３とは軸Ａの反対側に位置し、円弧状であり、チューブ６およびカップ１１と一体に形成される。
【００１９】
把持部材２１は、シート１６への取付具１の挿入および取外しを一層簡単にする。
【図面の簡単な説明】
【図１】
本発明による取付具の側面図である。
【図２】
図１の取付具の平面図である。
【図３】
一部部品を割愛して簡潔にした、本発明による測定装置の概略正面図である。
【図４】
図１の取付具の変形例の側面図である。
【国際公開パンフレット】
2004519282.tif 000003
2004519282.tif 000004
2004519282.tif 000005
2004519282.tif 000006
2004519282.tif 000007
2004519282.tif 000008
2004519282.tif 000009
2004519282.tif 000010
2004519282.tif 000011
2004519282.tif 000012
2004519282.tif 000013
2004519282.tif 000014
【国際調査報告】
2004519282.tif 000015
2004519282.tif 000016